(57)【特許請求の範囲】
【請求項１】
外部装置から受信した第１の情報に基づいて動作する耳栓型電子機器であって、
赤外線を放射する被検体に取り付けられる取り付け部と、
前記取り付け部に収納され、前記被検体から放射される前記赤外線に応じた出力信号を発生する赤外線センサと、
前記第１の情報に基づくタイミングにおける前記赤外線センサからの前記出力信号を取得し、前記出力信号に基づき前記取り付け部が前記被検体に装着されているか否かを判断し、その判断結果に応じた第１及び第２の制御信号を生成する制御信号生成部と、
前記制御信号生成部からの前記第１の制御信号が入力され、前記第１の制御信号に応じて前記外部装置へ第２の情報を送信可能な無線通信部と、
前記制御信号生成部で生成された前記第２の制御信号に応じて前記被検体に対する刺激動作を可能とする刺激発生部と、
を備え、
前記無線通信部は、
前記制御信号生成部から入力された前記第１の制御信号が、前記取り付け部が前記被検体に装着されていることを表す場合には、前記外部装置に外部音制御信号を送信し、
前記制御信号生成部から入力された前記第１の制御信号が、前記取り付け部が前記被検体から脱離していることを表す場合には、前記外部装置に外部音発生信号を送信する耳栓型電子機器。
【請求項２】
外部装置から受信した第１の情報に基づいて動作する耳栓型電子機器であって、
赤外線を放射する被検体に取り付けられる取り付け部と、
前記取り付け部に収納され、前記被検体から放射される前記赤外線に応じた出力信号を発生する赤外線センサと、
前記第１の情報に基づくタイミングにおける前記赤外線センサからの前記出力信号を取得し、前記出力信号に基づき前記取り付け部が前記被検体に装着されているか否かを判断し、その判断結果に応じた第１及び第２の制御信号を生成する制御信号生成部と、
前記制御信号生成部からの前記第１の制御信号が入力され、前記第１の制御信号に応じて前記外部装置へ第２の情報を送信可能な無線通信部と、
前記制御信号生成部で生成された前記第２の制御信号に応じて前記被検体に対する刺激動作を可能とする刺激発生部と、
を備え、
前記刺激発生部は、
前記制御信号生成部から入力された前記第２の制御信号が、前記取り付け部が前記被検体に装着されていることを表す場合には、前記被検体に対する刺激動作を行い、
前記制御信号生成部から入力された前記第２の制御信号が、前記取り付け部が前記被検体から脱離していることを表す場合には、前記被検体に対する刺激動作を行わない耳栓型電子機器。
【請求項３】
外部装置から受信した第１の情報に基づいて動作する耳栓型電子機器であって、
赤外線を放射する被検体に取り付けられる取り付け部と、
前記取り付け部に収納され、前記被検体から放射される前記赤外線に応じた出力信号を発生する赤外線センサと、
前記第１の情報に基づくタイミングにおける前記赤外線センサからの前記出力信号を取得し、前記出力信号に基づき前記取り付け部が前記被検体に装着されているか否かを判断し、その判断結果に応じた第１及び第２の制御信号を生成する制御信号生成部と、
前記制御信号生成部からの前記第１の制御信号が入力され、前記第１の制御信号に応じて前記外部装置へ第２の情報を送信可能な無線通信部と、
前記制御信号生成部で生成された前記第２の制御信号に応じて前記被検体に対する刺激動作を可能とする刺激発生部と、
を備え、
前記無線通信部は、
前記制御信号生成部から入力された前記第１の制御信号に応じて前記外部装置へ前記第２の情報を送信し、送信が正常に行われたことを表す第３の情報を受信し、前記第３の情報を受信しない場合に、前記制御信号生成部に信号を出力し、
前記制御信号生成部は、
入力された前記信号に応じて、前記被検体に対する刺激動作を発生させる前記第２の制御信号を前記刺激発生部に出力する耳栓型電子機器。
【請求項４】
前記制御信号生成部は、前記外部装置から送信されるトリガー信号を受信したタイミングで前記赤外線センサの前記出力信号を取得し、前記出力信号に応じた前記第１及び第２の制御信号を生成する請求項１〜３のいずれか一項に記載の耳栓型電子機器。
【請求項５】
時刻を出力する時計部と、前記外部装置から受信した時間情報を保持する記憶部と、をさらに備え、
前記制御信号生成部は、前記時間情報に基づく時刻において前記赤外線センサの前記出力信号を取得し、前記出力信号に応じた前記第１及び第２の制御信号を生成する請求項１〜３のいずれか一項に記載の耳栓型電子機器。
【請求項６】
前記制御信号生成部は、前記外部装置から受信した前記時間情報に基づき、前記赤外線センサからの前記出力信号を取得するタイミングを設定する請求項５に記載の耳栓型電子機器。
【請求項７】
前記制御信号生成部は、
前記赤外線センサの出力を任意の時刻に取得し、取得した前記赤外線センサの前記出力信号から前記被検体の温度を表す温度情報を演算する請求項１〜６のいずれか一項に記載の耳栓型電子機器。
【請求項８】
前記制御信号生成部は、
前記赤外線センサの出力を任意の時刻に複数回取得し、取得した複数の前記赤外線センサの前記出力信号から前記被検体の温度を表す温度情報を演算し、複数の温度情報に基づき基礎体温を推定する請求項７に記載の耳栓型電子機器。
【請求項９】
外部から送信される電界、磁界、電磁界のいずれかを含む電力信号を受信することにより充電される充電部をさらに備える請求項１〜８のいずれか一項に記載の耳栓型電子機器。
【請求項１０】
前記赤外線センサが、量子型赤外線センサである請求項１〜９のいずれか一項に記載の耳栓型電子機器。
【請求項１１】
外部装置から受信した第１の情報に基づいて動作する耳栓型電子機器の動作方法であって、
赤外線を放射する被検体に取り付けられる取り付け部を備えた耳栓型電子機器の動作方法において、
まず、利用者によって外部装置上に情報が入力される第１のステップと、
次に、前記外部装置は、入力された情報を、前記耳栓型電子機器にあるタイミングで送信する第２のステップと、
次に、制御信号生成部が、前記第１の情報に基づき、赤外線センサの出力信号を取得するタイミングを設定し、設定したタイミングにおいて、前記赤外線センサの前記出力信号を取得し、前記出力信号に基づき前記取り付け部が前記被検体に装着されているか否かを判断し、その結果に応じた第１及び第２の制御信号を生成する第３のステップと、
次に、前記制御信号生成部が、前記第１の制御信号を無線通信部に出力し、前記第２の制御信号を刺激発生部に出力し、前記無線通信部は、入力された前記第１の制御信号に応じて前記外部装置に第２の情報を送信するか否かを決定し、前記刺激発生部が、入力された前記第２の制御信号に応じて前記被検体に対する刺激動作を発生するか否かを決定する第４のステップと、を有し、
前記耳栓型電子機器の取り付け部が、前記被検体に装着されている場合には、前記刺激発生部から発生する刺激動作を行い、前記耳栓型電子機器の取り付け部が、前記被検体から脱離している場合には、前記外部装置から発生する刺激動作を行うことを特徴とする耳栓型電子機器の動作方法。
【発明の詳細な説明】
【技術分野】
【０００１】
本発明は、耳栓型電子機器及びその動作方法に関する。より詳細には、睡眠の質を高めるとともに、起床予定時刻に確実に起床することが可能で、かつ周りに対する騒音が少ない耳栓型電子機器及びその動作方法に関する。
【背景技術】
【０００２】
睡眠時間に関する国際調査によれば、ＯＥＣＤ（経済協力開発機構）が２０１１年に行った国際比較調査のうち、各国の１５歳〜６４歳までの男女の睡眠時間を比較すると、日本人は男性・女性ともに睡眠時間が最も短いことが明らかになった。また、別のデータから日本睡眠学会が試算した結果によると、こうした睡眠不足による経済的損失（生産性の低下、欠勤、遅刻、早退、交通事故や産業事故の発生、医療費の増加など）は、年間約５兆円にものぼるとされている。
また、実際に十分に睡眠が取れているかどうかは、睡眠時間の長短だけでなく、睡眠の深さや質によっても異なる。短い睡眠時間でも、効率的な睡眠が取れている場合、睡眠満足度は高くなるし、逆に長時間眠っているのに睡眠が浅いなど、睡眠の質に問題がある場合は、睡眠満足度は低くなる。
【０００３】
睡眠の質を改善する方法としてベッドを変えたり枕を変えたり、生活習慣を変えるなど様々な方法が存在するが、その多くは費用と時間を要する。その中で簡単に睡眠の質を向上させる方法としては、耳栓を装着した状態での睡眠が有力である。この種の耳栓は、従来から、周囲の騒音やストレスによる精神の緊張や不安などの要素により増加している不眠などの心身の障害を改善できるようにしたことで知られている。しかし、耳栓を装着した状態での睡眠では、外部の目覚ましから発生する音が聞こえづらいという問題がある。
そこで、外部の電子機器で起床予定時刻を設定し、無線通信により耳栓内部のレシーバでその情報を受信して、起床予定時刻に達したときに、耳栓内部の制御部によって耳栓内部に設けられたスピーカやバイブレータから音や振動を発生させる耳栓が、例えば、特許文献１に記載されている。
【先行技術文献】
【特許文献】
【０００４】
【特許文献１】米国特許出願公開第２０１０／００３５６４８号明細書
【発明の概要】
【発明が解決しようとする課題】
【０００５】
しかしながら、上述した特許文献１に記載されているような耳栓を装着することにより、睡眠の質を高めつつ、起床予定時刻には耳栓の内部から発生する音や振動により起床することが可能となるが、実用上の課題もある。例えば、睡眠時の寝返りなどの人体の動作により耳栓が耳から脱離し、スピーカから発生する音に気付かずに、起床予定時刻に起床できないという問題がある。
【０００６】
そこで、耳栓が耳から脱離した場合に備えて、スピーカから発生する音やバイブレータから発生する振動を大きく設定すると、正常に装着されている場合には、起床予定時刻に達すると、過剰に大きな音や振動が耳に届くこととなり、不快な目覚めとなってしまう。また、耳栓が脱離した場合に備えて、外部の目覚まし時計を設定して睡眠を取る対策が考えられるが、目覚まし時計が発生させる音は、別々の起床時間を予定している同居人やマンション内の近隣住民に対しては騒音となってしまうという問題がある。
本発明は、このような問題に鑑みてなされたもので、その目的とするところは、睡眠の質を高めるとともに、起床予定時刻に確実に起床することが可能で、かつ周りに対する騒音が少ない耳栓型電子機器及びその動作方法を提供することにある。
【課題を解決するための手段】
【０００７】
本発明者は、上記の課題を解決するために鋭意検討した結果、以下に示す耳栓型電子機器を想到するに至った。
本発明の第１の態様の耳栓型電子機器は、外部装置から受信した第１の情報に基づいて動作する耳栓型電子機器であって、赤外線を放射する被検体に取り付けられる取り付け部と、前記取り付け部に収納され、前記被検体から放射される前記赤外線に応じた出力信号を発生する赤外線センサと、前記第１の情報に基づくタイミングにおける前記赤外線センサからの前記出力信号を取得し、前記出力信号に基づき前記取り付け部が前記被検体に装着されているか否かを判断し、その判断結果に応じた第１及び第２の制御信号を生成する制御信号生成部と、前記制御信号生成部からの前記第１の制御信号が入力され、前記第１の制御信号に応じて前記外部装置へ第２の情報を送信可能な無線通信部と、前記制御信号生成部で生成された前記第２の制御信号に応じて前記被検体に対する刺激動作を可能とする刺激発生部と、を備え、前記無線通信部は、前記制御信号生成部から入力された前記第１の制御信号が、前記取り付け部が前記被検体に装着されていることを表す場合には、前記外部装置に外部音制御信号を送信し、前記制御信号生成部から入力された前記第１の制御信号が、前記取り付け部が前記被検体から脱離していることを表す場合には、前記外部装置に外部音発生信号を送信する耳栓型電子機器であることを特徴とする。
本発明の第２の態様の耳栓型電子機器は、外部装置から受信した第１の情報に基づいて動作する耳栓型電子機器であって、赤外線を放射する被検体に取り付けられる取り付け部と、前記取り付け部に収納され、前記被検体から放射される前記赤外線に応じた出力信号を発生する赤外線センサと、前記第１の情報に基づくタイミングにおける前記赤外線センサからの前記出力信号を取得し、前記出力信号に基づき前記取り付け部が前記被検体に装着されているか否かを判断し、その判断結果に応じた第１及び第２の制御信号を生成する制御信号生成部と、前記制御信号生成部からの前記第１の制御信号が入力され、前記第１の制御信号に応じて前記外部装置へ第２の情報を送信可能な無線通信部と、前記制御信号生成部で生成された前記第２の制御信号に応じて前記被検体に対する刺激動作を可能とする刺激発生部と、を備え、前記刺激発生部は、前記制御信号生成部から入力された前記第２の制御信号が、前記取り付け部が前記被検体に装着されていることを表す場合には、前記被検体に対する刺激動作を行い、前記制御信号生成部から入力された前記第２の制御信号が、前記取り付け部が前記被検体から脱離していることを表す場合には、前記被検体に対する刺激動作を行わない耳栓型電子機器であることを特徴とする。
本発明の第３の態様の耳栓型電子機器は、外部装置から受信した第１の情報に基づいて動作する耳栓型電子機器であって、赤外線を放射する被検体に取り付けられる取り付け部と、前記取り付け部に収納され、前記被検体から放射される前記赤外線に応じた出力信号を発生する赤外線センサと、前記第１の情報に基づくタイミングにおける前記赤外線センサからの前記出力信号を取得し、前記出力信号に基づき前記取り付け部が前記被検体に装着されているか否かを判断し、その判断結果に応じた第１及び第２の制御信号を生成する制御信号生成部と、前記制御信号生成部からの前記第１の制御信号が入力され、前記第１の制御信号に応じて前記外部装置へ第２の情報を送信可能な無線通信部と、前記制御信号生成部で生成された前記第２の制御信号に応じて前記被検体に対する刺激動作を可能とする刺激発生部と、を備え、前記無線通信部は、前記制御信号生成部から入力された前記第１の制御信号に応じて前記外部装置へ前記第２の情報を送信し、送信が正常に行われたことを表す第３の情報を受信し、前記第３の情報を受信しない場合に、前記制御信号生成部に信号を出力し、前記制御信号生成部は、入力された前記信号に応じて、前記被検体に対する刺激動作を発生させる前記第２の制御信号を前記刺激発生部に出力する耳栓型電子機器であることを特徴とする。
【０００８】
また、本発明の第４の態様は、第１の態様の耳栓型電子機器であって、前記制御信号生成部は、前記外部装置から送信されるトリガー信号を受信したタイミングで前記赤外線センサの前記出力信号を取得し、前記出力信号に応じた前記第１及び第２の制御信号を生成することを特徴とする。
また、本発明の第５の態様は、第１の態様の耳栓型電子機器であって、時刻を出力する時計部と、前記外部装置から受信した時間情報を保持する記憶部と、をさらに備え、前記制御信号生成部は、前記時間情報に基づく時刻において前記赤外線センサの前記出力信号を取得し、前記出力信号に応じた前記第１及び第２の制御信号を生成することを特徴とする。
【０００９】
また、本発明の第６の態様は、第５の態様の耳栓型電子機器であって、前記制御信号生成部は、前記外部装置から受信した前記時間情報に基づき、前記赤外線センサからの前記出力信号を取得するタイミングを設定することを特徴とする。
【００１１】
また、本発明の第７の態様は、第１の態様から第６の態様のいずれか１つの耳栓型電子機器であって、前記制御信号生成部は、前記赤外線センサの出力を任意の時刻に取得し、取得した前記赤外線センサの前記出力信号から前記被検体の温度を表す温度情報を演算することを特徴とする。
また、本発明の第８の態様は、第７の態様の耳栓型電子機器であって、前記制御信号生成部は、前記赤外線センサの出力を任意の時刻に複数回取得し、取得した複数の前記赤外線センサの前記出力信号から前記被検体の温度を表す温度情報を演算し、複数の温度情報に基づき基礎体温を推定することを特徴とする。
【００１２】
また、本発明の第９の態様は、第１の態様から第８の態様のいずれか１つの耳栓型電子機器であって、外部から送信される電界、磁界、電磁界のいずれかを含む電力信号を受信することにより充電される充電部をさらに備えることを特徴とする。
また、本発明の第１０の態様は、第１の態様から第９の態様のいずれか１つの耳栓型電子機器であって、前記赤外線センサが、量子型赤外線センサであることを特徴とする。
【００１４】
また、本発明の第１１の態様は、外部装置から受信した第１の情報に基づいて動作する耳栓型電子機器の動作方法であって、赤外線を放射する被検体に取り付けられる取り付け部を備えた耳栓型電子機器の動作方法において、まず、利用者によって外部装置上に情報が入力される第１のステップと、次に、前記外部装置は、入力された情報を、前記耳栓型電子機器にあるタイミングで送信する第２のステップと、次に、制御信号生成部が、前記第１の情報に基づき、赤外線センサの出力信号を取得するタイミングを設定し、設定したタイミングにおいて、前記赤外線センサの前記出力信号を取得し、前記出力信号に基づき前記取り付け部が前記被検体に装着されているか否かを判断し、その結果に応じた第１及び第２の制御信号を生成する第３のステップと、次に、前記制御信号生成部が、前記第１の制御信号を無線通信部に出力し、前記第２の制御信号を刺激発生部に出力し、前記無線通信部は、入力された前記第１の制御信号に応じて前記外部装置に第２の情報ｃ２を送信するか否かを決定し、前記刺激発生部が、入力された前記第２の制御信号に応じて前記被検体に対する刺激動作を発生するか否かを決定する第４のステップと、を有し、前記耳栓型電子機器の取り付け部が、前記被検体に装着されている場合には、前記刺激発生部から発生する刺激動作を行い、前記耳栓型電子機器の取り付け部が、前記被検体から脱離している場合には、前記外部装置から発生する刺激動作を行うことを特徴とする。
なお、上述した態様は、本発明の必要な特徴的な構成のすべてを記載したものではなく、その他の構成を組み合わせることにより本発明を構成することも可能である。
【発明の効果】
【００１５】
本発明によれば、利用者の睡眠の質を向上させるとともに、確実かつ低騒音な起床が可能な耳栓型電子機器及びその動作方法を実現することができる。
【図面の簡単な説明】
【００１６】
【図１】本発明に係る耳栓型電子機器の実施形態１を説明するための構成図である。
【図２】図１に示した実施形態１の耳栓型電子機器における動作を説明するためのフローチャートを示す図である。
【図３】本発明に係る耳栓型電子機器の実施形態２における動作を説明するためのフローチャートを示す図である。
【図４】本発明に係る耳栓型電子機器の実施形態３を説明するための構成図である。
【図５】図４に示した実施形態３の耳栓型電子機器における動作を説明するためのフローチャートを示す図である。
【図６】本発明に係る耳栓型電子機器の実施形態４における動作を説明するためのフローチャートを示す図である。
【図７】本発明に係る耳栓型電子機器の実施形態５における動作を説明するためのフローチャートを示す図である。
【図８】本発明に係る耳栓型電子機器の実施形態６における動作を説明するためのフローチャートを示す図である。
【発明を実施するための形態】
【００１７】
以下、図面を参照して本発明を実施するための形態（以下、本実施形態という）について説明する。なお、以下の実施形態は、特許請求の範囲にかかる発明を限定するものではない。また、実施形態の中で説明されている特徴の組み合わせの全てが発明の解決手段に必須であるとは限らない。
＜耳栓型電子機器＞
本実施形態に係る耳栓型電子機器は、耳への取り付け部と、外部から入射する赤外線に応じた信号を出力する赤外線センサと、外部装置から送信される情報に基づくタイミングにおける赤外線センサからの出力を取得し、この出力に基づき取り付け部が被検体（人体）に装着されているか否かを判断し、その結果に応じた制御信号を生成する制御信号生成部と、制御信号が入力され、この制御信号に応じて外部装置へ情報を送信する無線通信部と、制御信号が入力され、この制御信号に応じて被検体（人体）に対する刺激動作が可能な刺激発生部と、を備えるものである。
上述した赤外線センサ及び制御信号生成部を備えることにより、使用者の睡眠の質を向上させるとともに、確実かつ低騒音な起床が可能となる。
【００１８】
また、本実施形態に係る耳栓型電子機器は、時刻を出力する時計部と、外部装置から受信した時間情報を保持する記憶部とをさらに備えていてよい。上述した時計部と記憶部を備えることにより、利用者への刺激動作をするタイミングに外部装置から情報を送信するのではなく、予め設定した時刻において利用者への刺激動作が可能となるため、刺激動作をするタイミングに外部装置の電源がシャットダウンしている場合や情報の送信に不都合があった場合であっても利用者への刺激動作が可能になり、より確実な起床が可能となる。
また、本実施形態に係る耳栓型電子機器は、外部から送信される電界、磁界、電磁界のいずれかを含む電力信号を受信することにより充電される充電部をさらに備えていてよい。上述した充電部を備えることにより、耳栓型電子機器の使用中にも無線給電による充電が可能となり、電池切れの心配がなくなることで、より確実な起床が可能となる。
【００１９】
＜取り付け部＞
本実施形態の耳栓型電子機器における取り付け部は、耳へ装着したときに、耳表面と接触部分を形成する。取り付け部は、耳へ装着したときに、被検体（人体）の耳の形状に応じて適度に変形する材質であることが好ましい。また、取り付け部は、外部からの騒音を遮断する性質を持つことが好ましい。耳から放射された赤外線は、取り付け部を介して内部の赤外線センサに入射する。取り付け部は、入射した赤外線を透過させる性質を持つ材質であることが好ましい。材質の一例として、プラスチックが挙げられるが、これらに制限されるものではない。
【００２０】
＜赤外線センサ＞
本実施形態の耳栓型電子機器における赤外線センサは、外部から入射する赤外線に応じた信号を出力する。即ち、赤外線センサは、赤外線センサの視野を被検体（人体）の一部が覆っているか否かに応じた信号を出力する。具体的には、耳から放射され取り付け部を介して入射された赤外線を受光し、入射された赤外線に応じた出力信号を出力するセンサである。
【００２１】
本発明に用いられる赤外線センサとしては、光電変換部を含んでいる。この光電変換部は、フォトダイオード及びフォトコンダクタなど、光電変換によって信号を出力する「量子型赤外線センサ」であってよく、これに代えて、サーモパイル、焦電型センサなどの赤外線吸収による温度変化を電気信号に変換する「熱型赤外線センサ」であってもよい。外部からの電力供給を最小限に抑えて消費電力を低減する観点から、量子型赤外線センサを用いることが好ましい。
より具体的には、量子型赤外線センサは、ＩｎＳｂを用いたＰＮ又はＰＩＮ接合構造を有する量子型赤外線センサが挙げられるがこれに制限されない。また赤外線センサは、外部から入射する赤外線に応じた出力を制御信号生成部に出力する。また、赤外線センサ自身の温度や抵抗値を出力することも可能である。
【００２２】
＜制御信号生成部＞
本実施形態の耳栓型電子機器における制御信号生成部は、外部装置から送信される情報に基づくタイミングにおける赤外線センサからの出力を取得し、この出力に基づき取り付け部が被検体（人体）に装着されているか否かを判断し、その結果に応じた制御信号を生成し、無線通信部と刺激発生部へ出力する。外部装置から送信される情報としては、例えば、起床予定時刻に関する情報が送信される。制御信号生成部では、外部装置から送信された起床予定時刻に関する情報に基づいて、赤外線センサの出力を取得するタイミングを決定することができる。
【００２３】
赤外線センサの出力を取得するタイミングとしては、外部装置からトリガー信号を受信したタイミングや、予め受信した起床予定時刻と現在時刻を比較して、両者が一致したタイミングや、起床予定時刻に関する情報を予め受信しておき、受信した時刻から所定の時間が経過したタイミングなどが考えられるが、特に、これらの形態に制限されるものではない。また、赤外線センサの出力を取得するタイミングとは、所定の時刻において赤外線センサの出力を一度だけ取得することのみを意味せず、ある時間範囲において赤外線センサの出力を複数回取得することも含むものである。
【００２４】
制御信号生成部は、取得した赤外線センサの出力に基づき、取り付け部が被検体（人体）に装着されているか否かを判断する。判断方法としては、赤外線センサの出力が、予め設定された閾値を超える場合には、取り付け部が被検体（人体）に装着されていると判断し、閾値を超えない場合には、取り付け部が被検体（人体）から脱離していると判断する方法がある。
【００２５】
また、本実施形態の耳栓型電子機器を使用する部屋の室温に基づき閾値を補正することで、より正確に取り付け部が被検体（人体）に装着されているか否かを判断することが可能となる。また、赤外線センサの出力をある時間範囲で取得して、出力の変化量をモニタすることでも、取り付け部が被検体（人体）に装着されているか否かを判断することができる。また、赤外線センサの出力値そのものでなく、出力値を微分した微分値を使うことで、より正確に取り付け部が被検体（人体）に装着されているか否かを判断することが可能となる。
【００２６】
また、赤外線センサ自身の温度や抵抗値に基づき出力を補正することで、より正確に取り付け部が被検体（人体）に装着されているか否かを判断することが可能となる。
制御信号生成部は、取得した赤外線センサの出力に基づき、取り付け部が被検体（人体）に装着されているか否かを判断し、その結果に応じた制御信号を生成し、無線通信部と刺激発生部へ出力する。
【００２７】
取り付け部が被検体（人体）に装着されていると判断した場合には、刺激発生部に対しては刺激動作を起こすための信号を生成し、刺激発生部に出力する。また、無線通信部に対しては、外部装置に対して刺激動作を行わないように制御するための制御信号を生成し、無線通信部に出力する。
取り付け部が被検体（人体）から脱離していると判断した場合には、無線通信部に対しては、外部装置に対して刺激動作を行うように制御するための信号を生成し、無線通信部に出力する。なお、取り付け部が被検体（人体）から脱離していると判断した場合には、刺激発生部に対して刺激動作を起こすための信号を生成してもよく、刺激発生部に対して刺激動作を起こさないための信号を生成してもよい。
【００２８】
制御信号生成部は、取得した赤外線センサの出力から被検体（人体）の体温を表す体温情報を演算し、この体温情報を無線通信部に出力してもよい。一般に、赤外線センサは、背輻射のエネルギーが小さい場合はほとんど誤動作することはない。しかしながら、白熱灯又は室外で赤外線センサを用いた場合は、太陽が１０μｍ付近の波長帯域に、被検体（人体）からの輻射と同じ強度、もしくは被検体（人体）からの輻射より高い強度の輻射を放出する。このため、赤外線センサがこの光を検知して誤動作してしまうおそれがあった。
【００２９】
一方、本実施形態の耳栓型電子機器では、耳に装着した状態で使用するため、背輻射の影響が少なく、正確に被検体（人体）の体温を測定することが可能である。また、鼓膜の温度は、外気温などの影響を受けにくく、体内の深部に近い場所の安定した体温（中核温）に近く変動が少ない温度と言われており、安定した赤外線の放出が得られるため、体温測定の部位として優れている。被検体（人体）の体温を演算するために、赤外線センサの出力を取得するタイミングとしては、いずれのタイミングでもよく、制御信号生成部が、外部装置から送信された情報に基づいて設定したタイミングに限らない。
【００３０】
また、赤外線センサから取得した出力に基づき、取り付け部が被検体（人体）に装着されていると判断したときの出力のみを被検体（人体）の体温の演算に使用することで、より正確な体温の演算が可能となる。また、複数回にわたって赤外線センサの出力を取得し、それら複数の出力から演算された複数の体温を平均することで、さらに正確な体温測定が可能となる。
【００３１】
制御信号生成部は、赤外線センサの出力を取得し、その出力から演算された体温情報に基づき、基礎体温を推定してもよい。一日のうちで一番低い体温を基礎体温と呼ぶが、一般的に活動を行っていない睡眠中に体温が最も低くなることが知られている。通常の体温計を用いた体温測定は、使用者が活動中の状態において体温を測定するため、正確な基礎体温を測定することは困難である。制御信号生成部は、耳栓型電子機器が、被検体（人体）に装着されてから起床する間の複数回にわたって、赤外線センサの出力を取得し、それら複数の出力から演算された複数の体温のうち最も低い体温の値を基礎体温として推定することが可能である。これによって、従来の測定方法よりも正確な基礎体温を推定することができる。
【００３２】
＜刺激発生部＞
本実施形態の耳栓型電子機器における刺激発生部は、制御信号生成部から入力された制御信号に応じて被検体（人体）に対する刺激動作が可能である。被検体（人体）への刺激としては、人間が、この刺激を受けて起床可能なものであれば特に限定はなく、一例として音、振動、熱、膨張、匂いなどやその組み合わせなどが挙げられる。
【００３３】
また、発生させる刺激の強弱についても、制御信号生成部から入力された制御信号に応じて適宜調節することが可能である。また、刺激を発生させる時間については、利用者が外部装置で設定して本耳栓型電子機器に送信することで、適宜調節することができる。
これにより、起床予定時刻に向かって徐々に刺激を強くしていくなどの形態が考えられ、より不快感の少ない起床が可能となる。また、刺激を発生させる場合としては、装着を表す信号が入力された場合のみ、あるいは装着と脱離を表す信号のいずれかが入力された場合、のどちらでもよい。
【００３４】
＜無線通信部＞
本実施形態の耳栓型電子機器における無線通信部は、制御信号生成部から入力された制御信号に応じて外部装置へ情報を送信することが可能である。無線通信部は、脱離を表す信号が入力された場合に、外部装置に目覚ましやアラームの音を発生させるように動作させるための情報を送信してもよく、また、装着を表す信号が入力された場合に、外部装置に目覚ましやアラームの音を発生させるように動作させないための情報を送信してもよい。
【００３５】
つまり、外部装置が、無線通信部からの情報を受信して目覚ましやアラームの音を発生させる状態（スリープ状態）か、外部装置が、無線通信部からの情報を受信して目覚ましやアラームの音を発生させない状態（スタンバイ状態）のいずれの状態で待機していてもよい。無線通信の形態としては、Ｂｌｕｅｔｏｏｔｈ（登録商標）などの無線通信形態が挙げられるが、これに限定されるものではない。
【００３６】
無線通信の範囲としては、住宅内の端から端までをカバーするものが好ましく、これによって一回目の刺激発生部からの刺激では起床しなかった人に対して、離れた場所にいる別の人が外部装置を操作し、刺激の強弱や時間範囲を適宜設定して再度刺激を発生させることで、離れた場所からの起床の指示が可能となる。また、無線通信部は、制御信号生成部から入力された体温情報を、外部装置に送信してもよい。
【００３７】
＜外部装置＞
本実施形態の耳栓型電子機器における外部装置は、耳栓型電子機器に情報を送信し、無線通信部から送信された情報を受信するものであれば特に限定されるものではなく、その数についても一台あるいは複数台のいずれの場合も想定されうる。また、一個の耳栓型電子機器によって複数の外部装置を制御する場合や、複数個の耳栓型電子機器によって、複数台の外部装置を別々に制御する場合など、様々な形態が考えられ得る。
【００３８】
外部装置は、無線通信部から受信した情報に応じて、被検体（人体）に対する刺激を発生させることが可能である。被検体（人体）への刺激としては、刺激発生部が発生させる刺激と同様に、種々の刺激が考えられ得る。離れた場所から情報を送信し、送信者が起床を促したい時刻に刺激を発生させることや、複数の本耳栓型電子機器に対して異なる情報を送信することなども可能である。
【００３９】
送信する情報としては、刺激の種類や、刺激を発生させる時間に関する情報やその強弱、発生させる時間範囲に関する情報等が考えられるが、これらに限定されない。また、無線通信部から情報を受信したときに、無線通信部からの送信が正常に行われたことを表す情報を返信する形態も考えられる。無線通信部からの送信が正常に行われない場合には、外部装置の電池切れなどのトラブルが想定され、そのような場合には、刺激発生部からの刺激動作を通常よりも強めに発生させることで、取り付け部が被検体（人体）から離脱している場合にも起床させることができる。これにより外部装置の状態によらず、より確実な起床を補償することが可能となる。
【００４０】
＜時計部＞
本実施形態の耳栓型電子機器における時計部は、現在時刻を測定し、制御信号生成部に測定した時刻を出力する。制御信号生成部では、入力された現在時刻と、外部装置から送信された情報に基づいて、赤外線センサの出力を取得するタイミングを設定することが可能である。
【００４１】
＜記憶部＞
本実施形態の耳栓型電子機器における記憶部は、外部装置から送信された情報を記憶して、制御信号生成部に任意のタイミングで出力することが可能である。制御信号生成部では、記憶部から入力された情報と、時刻測定部から入力された現在時刻に基づいて、赤外線センサの出力を取得するタイミングを設定することが可能である。赤外線センサの出力を取得するタイミングの一例としては、記憶部から入力された情報に基づく起床予定時刻と、時刻測定部から入力された現在時刻とが等しくなったタイミングが考えられるが、これに限定されるものではない。
【００４２】
＜充電部＞
本実施形態の耳栓型電子機器における充電部は、外部から送信される電界、磁界、電磁界のいずれかを含む電力信号を受信することにより充電される。ここでいう送信とは、有線及び無線のいずれの形態も含むものである。
以下、図面を参酌しながら、本実施形態の具体的な実施形態を説明するが、本実施形態はこれに限定されるものではない。また、各図面において、同一の構成を有する部分には同一の符号を付し、繰り返しの説明は省略する。
【００４３】
＜実施形態１＞
図１は、本発明に係る耳栓型電子機器の実施形態１を説明するための構成図である。本実施形態１の耳栓型電子機器１０は、取り付け部１１と赤外線センサ１２と制御信号生成部１３と無線通信部１４と刺激発生部１５とを備えている。
取り付け部１１は、赤外線ＩＲを放射する被検体Ｍに装着する。また、赤外線センサ１２は、取り付け部１１に収納され、被検体Ｍから放射される赤外線ＩＲに応じた出力信号ａを発生する。
また、制御信号生成部１３は、外部装置３０から送信される第１の情報ｃ１に基づくタイミングにおける赤外線センサ１２からの出力信号ａを取得し、この出力信号ａに基づき取り付け部１１が被検体Ｍに装着されているか否かを判断し、その判断結果に応じた第１及び第２の制御信号ｂ１，ｂ２を生成する。
【００４４】
また、無線通信部１４は、制御信号生成部１３からの第１の制御信号ｂ１が入力され、この第１の制御信号ｂ１に応じて外部装置３０へ第２の情報ｃ２を送信可能とする。また、刺激発生部１５は、制御信号生成部１３で生成された第２の制御信号ｂ２に応じて被検体Ｍに対する刺激動作を可能とする。
また、制御信号生成部１３は、外部装置３０から送信されるトリガー信号を受信したタイミングで赤外線センサ１２の出力信号ａを取得し、この出力信号ａに応じた第１及び第２の制御信号ｂ１，ｂ２を生成する。
【００４５】
また、無線通信部１４は、制御信号生成部１３から入力された第１の制御信号ｂ１が、取り付け部１１が被検体Ｍに装着されていることを表す場合には、外部装置３０に外部音制御信号（図示せず）を送信し、制御信号生成部１３から入力された第１の制御信号ｂ１が、取り付け部１１が被検体Ｍから脱離していることを表す場合には、外部装置３０に外部音発生信号（図示せず）を送信する。
また、刺激発生部１５は、制御信号生成部１３から入力された第２の制御信号ｂ２が、取り付け部１１が被検体Ｍに装着されていることを表す場合には、被検体Ｍに対する刺激動作を行い、制御信号生成部１３から入力された第２の制御信号ｂ２が、取り付け部１１が被検体Ｍから脱離していることを表す場合には、被検体Ｍに対する刺激動作を行わない。
【００４６】
また、制御信号生成部１３は、赤外線センサ１２の出力を任意の時刻に複数回取得し、取得した複数の赤外線センサ１２の出力信号ａから被検体Ｍの温度を表す温度情報を演算し、複数の温度情報に基づき基礎体温を推定する。
また、外部から送信される電界、磁界、電磁界のいずれかを含む電力信号を受信することにより充電される充電部（図示せず）をさらに備えている。また、赤外線センサ１２が、量子型赤外線センサであることが好ましい。
図２は、図１に示した実施形態１の耳栓型電子機器における動作を説明するためのフローチャートを示す図である。
まず、利用者によって外部装置３０上に情報が入力される（ステップＳ１１）。次に、外部装置３０は、入力された情報を、耳栓型電子機器１０にあるタイミングで送信する（ステップＳ１２）。
【００４７】
次に、制御信号生成部１３は、外部装置３０から送信された第１の情報ｃ１に基づき、赤外線センサ１２の出力信号ａを取得するタイミングを設定し（ステップＳ１３）、設定したタイミングにおいて、赤外線センサ１２の出力信号ａを取得する（ステップＳ１４）。
次に、制御信号生成部１３は、この出力信号ａに基づき取り付け部１１が被検体（人体）Ｍに装着されているか否かを判断し、その結果に応じた第１及び第２の制御信号ｂ１，ｂ２を生成する（ステップＳ１５）。
【００４８】
次に、制御信号生成部１３は、生成した第１の制御信号ｂ１を無線通信部１４に出力し、第２の制御信号ｂ２を刺激発生部１５に出力し、無線通信部１４は、入力された第１の制御信号ｂ１に応じて外部装置３０に第２の情報ｃ２を送信するか否かを決定し、刺激発生部１５は、入力された第２の制御信号ｂ２に応じて被検体（人体）Ｍに対する刺激動作を発生するか否かを決定する。
【００４９】
これにより、耳栓型電子機器１０の取り付け部１１が被検体（人体）Ｍに装着されている場合には、刺激発生部１５から発生する刺激動作によって、周りに対して騒音を発生させることなく起床することが可能である（ステップＳ１６）。また、耳栓型電子機器１０の取り付け部１１が被検体（人体）Ｍから脱離している場合には、外部装置３０から発生する刺激により、確実に起床することが可能となる（ステップＳ１７）。
【００５０】
＜実施形態２＞
図３は、本発明に係る耳栓型電子機器の実施形態２における動作を説明するためのフローチャートを示す図である。
まず、利用者によって外部装置３０上に情報が入力される（ステップＳ２１）。次に、外部装置３０は、入力された情報に基づき、所定のタイミングにおいて、トリガー信号を耳栓型電子機器１０に送信する（ステップＳ２２）。
次に、制御信号生成部１３は、外部装置３０から送信されたトリガー信号を受信したタイミングにおける赤外線センサ１２の出力信号ａを取得する（ステップＳ２３）。
【００５１】
次に、制御信号生成部１３は、この出力信号ａに基づき取り付け部１１が被検体（人体）Ｍに装着されているか否かを判断し、その結果に応じた第１及び第２の制御信号ｂ１，ｂ２を生成する（ステップＳ２４）。
次に、制御信号生成部１３は、生成した第１の制御信号ｂ１を無線通信部に出力し、第２の制御信号ｂ２を刺激発生部に出力し、無線通信部１４は、入力された第１の制御信号ｂ１に応じて外部装置３０に情報ｃ２を送信するか否かを決定し、刺激発生部１５は入力された第２の制御信号ｂ２に応じて被検体（人体）Ｍに対する刺激動作を発生するか否かを決定する。
【００５２】
これにより、耳栓型電子機器の取り付け部１１が被検体（人体）Ｍに装着されている場合には、刺激発生部１５から発生する刺激動作によって、周りに対して騒音を発生させることなく起床することが可能である（ステップＳ２５）。また、耳栓型電子機器の取り付け部１１が被検体（人体）Ｍから脱離している場合には、外部装置３０から発生する刺激により、確実に起床することが可能となる（ステップＳ２６）。
【００５３】
＜実施形態３＞
図４は、本発明に係る耳栓型電子機器の実施形態３を説明するための構成図である。本実施形態３の耳栓型電子機器２０は、取り付け部１１と赤外線センサ１２と制御信号生成部１３と無線通信部１４と刺激発生部１５と時計部１６と記憶部１７とを備えている。
取り付け部１１は、赤外線ＩＲを放射する被検体Ｍに装着する。また、赤外線センサ１２は、取り付け部１１に収納され、被検体Ｍから放射される赤外線ＩＲに応じた出力信号ａを発生する。
【００５４】
また、制御信号生成部１３は、外部装置３０から送信される第１の情報である時間情報ｃ１に基づくタイミングにおける赤外線センサ１２からの出力信号ａを取得し、出力信号ａに基づき取り付け部１１が被検体Ｍに装着されているか否かを判断し、その判断結果に応じた第１及び第２の制御信号ｂ１，ｂ２を生成する。
また、無線通信部１４は、制御信号生成部１３からの第１の制御信号ｂ１が入力され、第１の制御信号ｂ１に応じて外部装置３０へ第２の情報ｃ２を送信可能とする。
【００５５】
また、刺激発生部１５は、無線通信部１４からの第２の情報ｃ２に基づき制御信号生成部１３で生成された第２の制御信号ｂ２に応じて被検体Ｍに対する刺激動作を可能とする。
また、時刻を出力する時計部１６と、外部装置３０から受信した時間情報ｃ１を保持する記憶部１７４とをさらに備えている。
また、制御信号生成部１３は、時間情報ｃ１に基づく時刻において赤外線センサ１２の出力信号ａを取得し、出力信号ａに応じた第１及び第２の制御信号ｂ１，ｂ２を生成する。
つまり、本実施形態３に係る耳栓型電子機器２０は、上述した実施形態１に係る耳栓型電子機器１０において、さらに時刻を出力する時計部１６と、外部装置３０から受信した時間情報ｃ１を保持する記憶部１７とをさらに備えるものである。
【００５６】
図５は、図４に示した実施形態３の耳栓型電子機器における動作を説明するためのフローチャートを示す図である。
まず、利用者によって外部装置３０上に時間情報ｃ１が入力される（ステップＳ３１）。次に、外部装置３０は、入力された時間情報ｃ１を、予め耳栓型電子機器２０に送信する（ステップＳ３２）。
次に、記憶部１７は、外部装置３０から送信された時間情報ｃ１を受信し、記憶する。次に、制御信号生成部１３は、記憶部１７が記憶する時間情報と、時計部１６が出力する現在時刻とが等しくなったタイミングにおける赤外線センサ１２の出力信号ａを取得する（ステップＳ３３）。
【００５７】
次に、制御信号生成部１３は、この出力信号ａに基づき取り付け部１１が被検体（人体）Ｍに装着されているか否かを判断し、その結果に応じた第１及び第２の制御信号ｂ１，ｂ２を生成する（ステップＳ３４）。
次に、制御信号生成部１３は、生成した第１の制御信号ｂ１を無線通信部１４に出力し、第２の制御信号ｂ２を刺激発生部１５に出力し、無線通信部１４は、入力された第１の制御信号ｂ１に応じて外部装置１４に第２の情報ｃ２を送信するか否かを決定し、刺激発生部１５は、入力された第２の制御信号ｂ２に応じて被検体（人体）Ｍに対する刺激動作を発生するか否かを決定する。
【００５８】
これにより、耳栓型電子機器の取り付け部１１が被検体（人体）Ｍに装着されている場合には、刺激発生部１５から発生する刺激動作によって、周りに対して騒音を発生させることなく起床することが可能である（ステップＳ３５）。また、耳栓型電子機器の取り付け部１１が被検体（人体）Ｍから脱離している場合には、外部装置３０から発生する刺激により、確実に起床することが可能となる（ステップＳ３６）。
【００５９】
＜実施形態４＞
本実施形態４の耳栓型電子機器２０における制御信号生成部１３は、外部装置３０から受信した時間情報ｃ１に基づき、赤外線センサ１２からの出力信号ａを取得するタイミングを設定する。
図６は、本発明に係る耳栓型電子機器の実施形態４における動作を説明するためのフローチャートを示す図である。
まず、利用者によって外部装置３０上に時間情報ｃ１が入力される（ステップＳ４１）。次に、外部装置３０は、入力された時間情報ｃ１を、予め耳栓型電子機器２０に送信する（ステップＳ４２）。
【００６０】
次に、制御信号生成部１３は、受信した時間情報ｃ１に基づき、赤外線センサ１２の出力信号ａを取得するタイミングを予め設定し（ステップＳ４３）、このタイミングに達したときに、赤外線センサ１２の出力信号ａを取得する（ステップＳ４４）。
次に、制御信号生成部１３は、この出力信号ａに基づき取り付け部１１が被検体（人体）Ｍに装着されているか否かを判断し、その結果に応じた第１及び第２の制御信号ｂ１，ｂ２を生成する（ステップＳ４５）。
【００６１】
次に、制御信号生成部１３は、生成した第１の制御信号ｂ１を無線通信部１４に出力し、第２の制御信号ｂ２を刺激発生部１５に出力し、無線通信部１４は、入力された第１の制御信号ｂ１に応じて外部装置３０に第２の情報ｃ２を送信するか否かを決定し、刺激発生部１５は、入力された第２の制御信号ｂ２に応じて被検体（人体）Ｍに対する刺激動作を発生するか否かを決定する。
【００６２】
これにより、耳栓型電子機器の取り付け部１１が被検体（人体）Ｍに装着されている場合には、刺激発生部１５から発生する刺激動作によって、周りに対して騒音を発生させることなく起床することが可能である（ステップＳ４６）。また、耳栓型電子機器の取り付け部１１が被検体（人体）Ｍから脱離している場合には、外部装置３０から発生する刺激により、確実に起床することが可能となる（ステップＳ４７）。
【００６３】
＜実施形態５＞
本実施形態５の耳栓型電子機器における制御信号生成部１３は、赤外線センサ１２の出力を任意の時刻に取得し、取得した赤外線センサ１２の出力信号ａから被検体Ｍの温度を表す温度情報を演算する。つまり、本実施形態５は、上述した実施形態１に被検体（人体）Ｍの体温測定の機能を追加したものである。
【００６４】
図７は、本発明に係る耳栓型電子機器の実施形態５における動作を説明するためのフローチャートを示す図である。
具体的には、図２に示したフローチャートと並行して、図７に示すフローチャートに従う処理が行われる。図７に示すフローチャートに従う処理は、図２に示したフローチャートに従う処理の開始から終了までのいずれの間においても並行して実行することが可能である。
【００６５】
図７に示すフローチャートにおいて、まず、制御信号生成部１３は、所定のタイミングにおいて所定の回数にわたり赤外線センサの出力信号ａを取得し（ステップＳ５１）、次に、この出力信号ａに基づき、被検体（人体）Ｍの体温を表す体温情報を演算する（ステップＳ５２）。次に、制御信号生成部１３は、体温情報を無線通信部１４に出力し、無線通信部１４は、入力された体温情報を外部装置３０に送信する（ステップＳ５３）。
【００６６】
＜実施形態６＞
本実施形態６の耳栓型電子機器における無線通信部１４は、制御信号生成部１３から入力された第１の制御信号ｂ１に応じて外部装置３０へ第２の情報ｃ２を送信し、送信が正常に行われたことを表す第３の情報ｃ３を受信し、第３の情報ｃ３を受信しない場合に、制御信号生成部１３に信号を出力する。また、制御信号生成部１３は、入力された出力信号ａに応じて、被検体Ｍに対する刺激動作を発生させる第２の制御信号ｂ２を刺激発生部１５に出力する。
【００６７】
つまり、本実施形態６は、上述した実施形態１に外部装置３０が途中で電源切れの状態となったときに、バックアップの機能を持たせたものである。従って、耳栓型電子機器が被検体（人体）Ｍから脱離し、外部装置３０による刺激を発生させる場合の処理について説明する。耳栓型電子機器が被検体（人体）Ｍに装着されている場合が、刺激発生部１５が刺激を発生させることにより、起床が可能である。
【００６８】
図８は、本発明に係る耳栓型電子機器の実施形態６における動作を説明するためのフローチャートを示す図である。
まず、利用者によって外部装置３０上に情報が入力される（ステップＳ６１）。次に、外部装置３０は、入力された情報を、耳栓型電子機器にあるタイミングで送信する（ステップＳ６２）。
次に、制御信号生成部１３は、外部装置３０から送信された第１の情報ｃ１に基づき、赤外線センサ１２の出力信号ａを取得するタイミングを設定し（ステップＳ６３）、設定したタイミングにおいて、赤外線センサ１２の出力信号ａを取得し（ステップＳ６４）、この出力信号ａに基づき取り付け部１１が被検体（人体）Ｍから脱離していることを判断し、被検体（人体）Ｍから脱離を表す制御信号ｂ１，ｂ２を生成する（ステップＳ６５）。
【００６９】
次に、耳栓型電子機器の取り付け部１１が被検体（人体）Ｍから脱離している場合には、制御信号生成部１３は、生成した第１の制御信号ｂ１を無線通信部１４に出力し、無線通信部１４は、入力された第１の制御信号ｂ１に応じて外部装置３０に第２の情報ｃ２を送信する（ステップＳ６６）。
次に、無線通信部１４は、送信が正常に行われたことを表す情報を受信した場合には処理を終了し、送信が正常に行われたことを表す情報を受信しない場合には（ステップＳ６７）、制御信号生成部１３に信号を出力する。
【００７０】
次に、制御信号生成部１３は、入力された出力信号ａに応じて、刺激発生部１５に刺激動作を発生させる第２の制御信号ｂ２を生成し、この情報を刺激発生部１５に出力する。刺激発生部１５は、入力された第２の制御信号ｂ２に応じて被検体（人体）Ｍに対する刺激動作を発生させる（ステップＳ６８）。
次に、送信が正常に行われたことを表す情報を受信した場合には（ステップＳ６７）、外部装置３０から発生する刺激により、確実に起床することが可能となる（ステップＳ６９）。
次に、耳栓型電子機器の取り付け部１１が被検体（人体）Ｍに装着されている場合には、刺激発生部１５から発生する刺激動作によって、周りに対して騒音を発生させることなく起床することが可能である（ステップＳ７０）。
【００７１】
以上、本発明を実施形態について説明したが、本発明の技術的範囲は、上述した実施形態に記載の範囲には限定されない。上述した実施形態に、多様な変更又は改良を加えることが可能であることが当業者に明らかである。その様な変更又は改良を加えた形態も本発明の技術的範囲に含まれ得ることが、特許請求の範囲の記載から明らかである。
特許請求の範囲、明細書、及び図面中において示した装置、システム、プログラム及び方法における動作、手順、ステップ及び段階などの各処理の実行順序は、特段「より前に」、「先立って」などと明示しておらず、また、前の処理の出力を後の処理で用いるのでない限り、任意の順序で実現しうることに留意すべきである。特許請求の範囲、明細書及び図面中の動作フローに関して、便宜上「まず」、「次に」などを用いて説明したとしても、この順で実施することが必須であることを意味するものではない。
【符号の説明】
【００７２】
１０，２０  耳栓型電子機器
１１  取り付け部
１２  赤外線センサ
１３  制御信号生成部
１４  無線通信部
１５  刺激発生部
１６  時計部
１７  記憶部
３０  外部装置
【図１】
0006483449.tif 000002
【図２】
0006483449.tif 000003
【図３】
0006483449.tif 000004
【図４】
0006483449.tif 000005
【図５】
0006483449.tif 000006
【図６】
0006483449.tif 000007
【図７】
0006483449.tif 000008
【図８】
0006483449.tif 000009